(57)【要約】【課題】カーテンウォールにおいて、中空セラミック棒状建材を壁面に沿って設置することができる棒状建材の設置構造を提供する。【解決手段】カーテンウォール２の前面に沿って架材４が延設されている。架材４の長手方向の中間部分と両端部とからは、それぞれ取付片１２，１４，１６が突設されている。２本の中空セラミック製棒状建材６，６が、互いに長手方向に一直線状に連なるように、それぞれ取付片１４，１２間及び取付片１２，１６間に配置されている。２本の棒状建材６，６の双方を貫くように、各棒状建材６の貫通孔６Ａ，６Ｂにそれぞれサポート棒８Ａ，８Ｂが挿通されている。各サポート棒８Ａ，８Ｂの長手方向の中間部と両端部とがそれぞれ取付片１２，１４，１６に支持されることにより、２本の棒状建材６，６がカーテンウォール２の前面に沿って設置される。【選択図】  図１
2004324166.tif 000002
【特許請求の範囲】
【請求項１】
柱同士の間に非耐力壁が設けられたカーテンウォールの前面に棒状建材を設置した構造であって、
該棒状建材は長手方向に貫通する貫通孔を有した中空セラミック製であり、
該貫通孔に金属製のサポート棒が挿通され、該サポート棒の両端は該棒状建材の両端からそれぞれ突出しており、
前記カーテンウォールの前面に沿って架材が延設されており、
該架材から取付片が前方に突設されており、
該サポート棒の両端がそれぞれ該取付片に支持されることにより該棒状建材が設置されていることを特徴とする棒状建材の設置構造。
【請求項２】
請求項１において、該架材の途中部分と両端とからそれぞれ該取付片が前方に突設されていることを特徴とする棒状建材の設置構造。
【請求項３】
請求項２において、該架材の前面側に、該架材の長手方向に延在した係止溝が設けられており、
前記取付片は、該係止溝に係合したベースと、該ベースから前方に立設された突片とを有しており、
該突片に前記サポート棒が支持されていることを特徴とする棒状建材の設置構造。
【請求項４】
請求項３において、該架材には、該ベースを該係止溝に出し入れするための出し入れ部が設けられており、
前記取付片は、該出し入れ部から該係止溝内に導入され、次いで該係止溝に沿って配置位置まで移動されたものであることを特徴とする棒状建材の設置構造。
【発明の詳細な説明】
【０００１】
【発明の属する技術分野】
本発明は、セラミック製の中空の棒状建材をカーテンウォールの前面に沿って設置した構造に関する。
【０００２】
【従来の技術】
セラミック製の棒状建材を建物や構築物の窓や外面に沿って略水平に設置し、ルーバー（日除け）を構築することがある。セラミック製棒状建材は、折損の可能性があるので、これを中空とし、内部に棒状のサポート材を通し、このサポート材の両端を建物躯体に支持させることにより、棒状建材の設置と、万一折損したときの棒状建材の落下を防止することが多い。
【０００３】
特開２００２−７０２８９号公報には、Ｉ型鋼やＨ型鋼よりなる建物構造体の柱の前面にＴ字形状部材をネジ留めし、該Ｔ字形状部材に中空角筒状のセラミックルーバーの両端を支持させた構造が記載されている。このセラミックルーバー内に、鋼製芯材が挿通されている。
【０００４】
【特許文献１】
特開２００２−７０２８９号公報
【０００５】
【発明が解決しようとする課題】
上記特開２００２−７０２８９号公報にあっては、Ｔ字形状部材を柱に取り付けているため、セラミック製棒状建材を柱スパンに合わせた長さとするか、柱スパンを棒状建材の長さに合わせる必要がある。
【０００６】
前者の如く、セラミック製棒状建材を柱スパンに合わせるのでは、棒状建材が長大となり、歩留り良く低コストにて製造することは極めて困難である。
【０００７】
後者の如く柱スパンを部材の長さに合わせることは、建築物の設計からみて本末転倒である。
【０００８】
なお、一般に、カーテンウォール構造の場合、柱スパンは３〜４ｍ程度である。また、適正コストにて製造できるセラミック棒状建材の長さは１８０ｃｍ以下程度である。従って、上記特開２００２−７０２８９号公報の構造は、カーテンウォールに適用できない。
【０００９】
本発明は、上記従来の問題点を解決し、カーテンウォールにおいて、中空セラミック棒状建材を壁面前面に沿って取付配置することができる棒状建材の設置構造を提供することを目的とする。
【００１０】
【課題を解決するための手段】
本発明の棒状建材の設置構造は、柱同士の間に非耐力壁が設けられたカーテンウォールの前面に棒状建材を設置した構造であって、該棒状建材は長手方向に貫通する貫通孔を有した中空セラミック製であり、該貫通孔に金属製のサポート棒が挿通され、該サポート棒の両端は該棒状建材の両端からそれぞれ突出しており、前記カーテンウォールの前面に沿って架材が延設されており、該架材から取付片が前方に突設されており、該サポート棒の両端がそれぞれ該取付片に支持されることにより該棒状建材が設置されていることを特徴とするものである。
【００１１】
かかる棒状建材の設置構造にあっては、カーテンウォールの前面に沿って架材が延設されており、この架材に取付片が設けられているので、棒状建材の両端側に柱や梁等の耐力躯体が存在していなくても、棒状建材をカーテンウォール壁に対し該取付片を介して取り付けることができる。
【００１２】
本発明では、架材の途中部分と両端とからそれぞれ取付片が突設されていることが好適であり、これにより、柱や梁等の躯体に取付片を取り付けることが不要となる。
【００１３】
本発明では、特に、架材の前面側に、該架材の長手方向に延在した係止溝が設けられており、取付片は、該係止溝に係合したベースと、該ベースから前方に立設された突片とを有しており、該突片に前記サポート棒が支持されている構成とすることが好ましい。このように係止溝にベースを係合させることにより、取付片を架材に簡単に且つしっかりと取り付けることができる。また、係止溝に沿って取付片をスライドさせ、取付片を目的とする配置位置（棒状建材の長さによって定まる。）に容易に位置させることができる。
【００１４】
この場合、架材の係止溝にベースを出し入れする出し入れ部を設けることにより、柱間に架設された架材の係止溝に対し取付片を極めて容易に装着することができ、施工効率が著しく向上する。
【００１５】
【発明の実施の形態】
以下、図面を参照して実施の形態について説明する。
【００１６】
第１図は実施の形態に係る棒状建材の設置構造の全体斜視図、第２図はこの棒状建材の設置構造の分解斜視図、第３図は架材の長手方向の端部における棒状建材の支持構造を示す分解斜視図、第４図は架材の長手方向の途中部分における棒状建材の支持構造を示す分解斜視図、第５図は架材の係止溝への取付片の係合構造を示す分解斜視図である。
【００１７】
第１図に示すように、柱１，１間にガラス製の非耐力壁が設けられたカーテンウォール２が構築されている。該柱１，１間には架材４が架け渡されており、この架材４に保持されるようにして、該カーテンウォール２の前面に棒状建材６が略水平に設置されている。図示はしないが、この棒状建材６は上下方向に多段に設置されており、これにより、該カーテンウォール２の前面にルーバー（日除け）が形成されている。
【００１８】
ただし、棒状建材６は、日除け以外の外壁装飾材として設けられてもよい。この場合、棒状建材は１段又は少数段のみ設けられてもよい。
【００１９】
この実施の形態では、該柱１，１間のスパンは約３ｍであり、棒状建材６の長さは約１．５ｍである。そのため、図示の通り、２本の棒状建材６，６が互いに長手方向に連なるように一直線状に配列されて設置されることにより、１段分のルーバーが構成されている。
【００２０】
この棒状建材６は、第３図及び第４図に拡大して示すように、該棒状建材６を貫通する貫通孔６Ａ，６Ｂを有した中空セラミック製の棒状建材である。この棒状建材６の長手方向と交叉方向の断面形状は、カーテンウォール２の前面の出入り方向に幅広で、且つ上面の前縁側が建物の外方に向って下り勾配となる斜面に形成された略台形状となっている。貫通孔６Ａ，６Ｂは、この断面内において、該カーテンウォール２の出入り方向に位置を異ならせて設けられている。
【００２１】
該貫通孔６Ａ，６Ｂには、それぞれ、金属製のサポート棒８Ａ，８Ｂが挿通されている。この実施の形態では、該サポート棒８Ａ，８Ｂは、第２図に示すように、２本の棒状建材６，６が後述の取付片１２の突片１２ｂを挟んで互いに長手方向に連なるよう一直線状に配列された状態にて、これらの棒状建材６，６の双方と該突片１２ｂとを該長手方向に貫くように、各棒状建材６の貫通孔６Ａ，６Ｂにそれぞれ挿通されている。各サポート棒８Ａ，８Ｂの長さは、このように突片１２ｂを挟んで互いに長手方向に連なるよう一直線状に配列された２本の棒状建材６，６の該長手方向の最も外側に位置する両端面同士の間隔と同等か又はこの間隔よりも若干大きいものとなっている。
【００２２】
なお、この実施の形態では、該サポート棒８Ａ，８Ｂはそれぞれパイプ状の部材であり、各々の両端側の内孔の壁面には、ネジ１０Ａ，１０Ｂがねじ込まれる雌ねじ部（図示略）が形成されている。
【００２３】
架材４の長手方向の中間部分と両端部とには、それぞれ、該架材４の前面から前方に突出した取付片１２，１４，１６が設けられている。各棒状建材６は、これらの取付片１２，１４，１６にサポート棒８Ａ，８Ｂの長手方向の中間部分と両端部とがそれぞれ支持されることにより設置されている。
【００２４】
該取付片１２，１４，１６は、それぞれ、架材４の前面に係止されるベース１２ａ，１４ａ，１６ａと、該ベース１２ａ，１４ａ，１６ａから前方に突設された突片１２ｂ，１４ｂ，１６ｂとを有している。架材４の前面には、該架材４の長手方向に延在した係止溝１８が設けられており、この係止溝１８内に該ベース１２ａ，１４ａ，１６ａがそれぞれ係合している。
【００２５】
該係止溝１８の上縁及び下縁からは、それぞれ、該係止溝１８に係合したベース１２ａ，１４ａ，１６ａの上縁及び下縁を押えるように該係止溝１８内に張り出して各ベース１２ａ，１４ａ，１６ａの該係止溝１８からの抜け出しを阻止する押え片１８ａ，１８ｂが突設されている。
【００２６】
なお、係止溝１８の長手方向の途中部分には、該係止溝１８内にベース１２ａ，１４ａ，１６ａを出し入れするための出し入れ部１８ｃが設けられている。この出し入れ部１８ｃは、第５図に示す通り、該ベース１２ａ，１４ａ，１６ａの横幅分だけ押え片１８ａ，１８ｂを切り欠くようにして形成されている。この出し入れ部１８ｃは、第２図に示すように、該係止溝１８の長手方向の中間部分よりも一端側に近く配置されている。
【００２７】
取付片１２，１４，１６を架材４に装着するに際しては、この出し入れ部１８ｃから各々のベース１２ａ，１４ａ，１６ａを係止溝１８内に入り込ませ、それから該係止溝１８に沿って左右にスライドさせて各々の配置位置（架材４の長手方向の中間部分と両端部）に位置させる。
【００２８】
架材４の中間部分に配置された取付片１２の突片１２ｂは、互いに長手方向に連なるよう一直線状に配列された２本の棒状建材６，６同士の間に介在されている。第４図に示すように、この突片１２ｂには、カーテンウォール２の前面の出入り方向に位置を異ならせて、サポート棒８Ａ，８Ｂをそれぞれ挿通可能なサポート棒挿通口１２ｃ，１２ｄが設けられている。
【００２９】
一方、架材４の両端部に配置された取付片１４，１６の突片１４ｂ，１６ｂは、一直線状に配列された棒状建材６，６の長手方向の最も外側に位置する両端面にそれぞれ当てがわれている。第３図に示すように、該突片１４ｂ，１６ｂには、それぞれ、カーテンウォール２の前面の出入り方向に位置を異ならせて、該サポート棒８Ａ，８Ｂの両端側の前記雌ねじ部に通じるネジ挿通孔１４ｃ，１４ｄ及び１６ｃ，１６ｄが設けられている。
【００３０】
サポート棒８Ａ，８Ｂの中間部分は、互いに長手方向に連なるよう配列された２本の棒状建材６，６同士の間においてそれぞれ突片１２ｂのサポート棒挿通孔１２ｃ，１２ｄに挿通されて該突片１２ｂに支持されている。また、該サポート棒８Ａ，８Ｂの両端部は、各突片１４ｂ，１６ｂのネジ挿通孔１４ｃ，１４ｄ及び１６ｃ，１６ｄにそれぞれネジ１０Ａ，１０Ｂが通され、各サポート棒８Ａ，８Ｂの両端側の雌ねじ部にそれぞれこれらのネジ１０Ａ，１０Ｂがねじ込まれることにより、該突片１４ｂ，１６ｂに固着されている。
【００３１】
なお、この実施の形態では、ベース１２ａ，１４ａ，１６ａと突片１２ｂ，１４ｂ，１６ｂとはそれぞれ別体に構成されている。該ベース１２ａ，１４ａ，１６ａの前面には、それぞれ、該ベース１２ａ，１４ａ，１６ａと突片１２ｂ，１４ｂ，１６ｂの各々の基端側とを連結するための連結片１２ｅ，１４ｅ，１６ｅが形成されている。該突片１２ｂ，１４ｂ，１６ｂは、各々の基端側が該連結片１２ｅ，１４ｅ，１６ｅにネジ留めやリベット留め、或いは溶接等の固着手段によって固着されることにより、該ベース１２ａ，１４ａ，１６ａと連結されている。
【００３２】
以下に、第１図の棒状建材６の設置構造とするための施工手順について説明する。
【００３３】
まず、柱１，１間に、略水平方向に架材４を架け渡す。ただし、この架材４は、カーテンウォール２の構築時に該柱１，１間に架設されてもよく、カーテンウォール２の構築後に架設されてもよい。
【００３４】
次に、各取付片１４，１６のベース１４ａ，１６ａを、出し入れ部１８ｃから係止溝１８内に係合させ、それから該係止溝１８に沿ってスライドさせて該架材４の長手方向の両端部に位置させる。次いで、取付片１２のベース１２ａを出し入れ部１８ｃから係止溝１８内に係合させ、それから該係止溝１８に沿ってスライドさせて架材４の長手方向の中間部分に位置させる。
【００３５】
なお、この際、各取付片１２，１４，１６のベース１２ａ，１４ａ，１６ａと突片１２ｂ，１４ｂ，１６ｂとを非連結状、すなわちバラバラにしておき、該ベース１２ａ，１４ａ，１６ａのみを架材４に取り付ける。
【００３６】
２本の棒状建材６，６を、両者の間に突片１２ｂを介在させつつ、互いに長手方向に連なるよう一直線状に配列し、これらを長手方向に貫くように、各棒状建材６の貫通孔６Ａ，６Ｂと該突片１２ａのサポート棒挿通孔１２ｃ，１２ｄとにそれぞれサポート棒８Ａ，８Ｂを挿通する。そして、一直線状に配列された該棒状建材６，６の長手方向の最も外側に位置する両端面にそれぞれ突片１４ｂ，１６ｂを当てがい、ネジ挿通孔１４ｃ，１４ｄ及び１６ｃ，１６ｄを介して各サポート棒８Ａ，８Ｂの両端部にネジ１０Ａ，１０Ｂをねじ込んで該サポート棒８Ａ，８Ｂの両端部に突片１４ｂ，１６ｂをそれぞれ固着する。こうすることにより、２本の棒状建材６，６同士が一直線状に配列された状態にて連結される。
【００３７】
その後、突片１２ｂ，１４ｂ，１６ｂの各々の基端側と予め架材４に係止しておいたベース１２ａ，１４ａ，１６ａの連結片１２ｅ，１４ｅ，１６ｅとがそれぞれ当接するように、この棒状建材６，６の連結体を架材４の前面に略水平に配置する。そして、ネジ留めやリベット留め、あるいは溶接等により該突片１２ｂ，１４ｂ，１６ｂの各々の基端側を各連結片１２ｅ，１４ｅ，１６ｅに固着し、該突片１２ｂ，１４ｂ，１６ｂとベース１２ａ，１４ａ，１６ａとをそれぞれ連結する。
【００３８】
これにより、サポート棒８Ａ，８Ｂの長手方向の中間部分と両端部とが取付片１２，１４，１６を介して架材４に支持されるようになり、互いに長手方向に連なるように一直線状に配列された２本の棒状建材６，６の設置が完了する。前述の通り、この２本の棒状建材６，６により、１段分のルーバーが構成される。
【００３９】
この手順を順次繰り返して上下方向に多段に棒状建材６，６を設置することにより、カーテンウォール２の前面にルーバーが形成される。
【００４０】
このように構成された棒状建材６の設置構造にあっては、柱１，１間に架材４が架け渡されており、この架材４の長手方向の中間部分にも取付片１２が設けられているので、該柱１，１間のスパンよりも短尺の棒状建材６を、該突片１２と該架材４の両端部に設けられた取付片１４，１６との間にそれぞれ配置するようにしてカーテンウォール２の前面に設置することができる。
【００４１】
なお、この棒状建材６の設置構造において、該棒状建材６はセラミック製のものであり、折損の可能性があるが、設置された各棒状建材６の貫通孔６Ａ，６Ｂには金属製のサポート棒８Ａ，８Ｂが挿通されているので、該棒状建材６が万一折損しても落下が防止される。
【００４２】
この実施の形態では、架材４の前面に設けられた係止溝１８に各取付片１２，１４，１６のベース１２ａ，１４ａ，１６ａが係止されることにより各取付片１２，１４，１６が架材４に装着されるため、各取付片１２，１４，１６の架材４への装着が簡単であり、且つ各取付片１２，１４，１６をしっかりと架材４に取り付けることができる。
【００４３】
また、これらの取付片１２，１４，１６を係止溝１８に沿ってスライドさせることにより、各取付片１２，１４，１６を目的とする配置位置に容易に位置させることができると共に、各棒状建材６の長さに寸法誤差があっても、この誤差を吸収するように各棒状建材６の配置位置を容易に調整することができる。
【００４４】
しかも、この実施の形態では、該係止溝１８にベース１２ａ，１４ａ，１６ａを出し入れするための出し入れ部１８ｃが設けられているので、カーテンウォール４が柱１，１間に架設された状態にあっても、容易に各取付片１２，１４，１６を架材４に装着することができ、これにより、施工効率が著しく向上する。
【００４５】
なお、この実施の形態では、２本の棒状建材６，６を互いに長手方向に連なるように一直線状に配列して柱１，１間に設置しているが、この棒状建材６よりもさらに短い棒状建材を３本以上一直線状に配列して柱１，１間に設置するよう構成してもよい。このように構成した場合には、架材４の両端部にそれぞれ取付片１４，１６を配置すると共に、該架材４の長手方向の途中部分に、（一直線状に配列される棒状建材の本数）−１個の取付片１２を配置し、これらの取付片１４と取付片１２との間、取付片１２同士の間、並びに取付片１２と取付片１６との間にそれぞれ棒状建材を配置するようにしては１，１間に該棒状建材を設置する。
【００４６】
上記の実施の形態は本発明の一例であり、本発明は図示の形態に限定されるものではない。
【００４７】
例えば、上記の実施の形態では一直線状に配列された複数の棒状建材の長手方向の最も外側に位置する取付片は架材の両端部に設けられているが、本発明では、この取付片は柱に設けられてもよい。
【００４８】
また、上記の実施の形態では、互いに長手方向に連なるよう一直線状に配列された１段分のすべての棒状建材を該長手方向に貫くようにサポート棒が配設され、これにより同一のサポート棒によって１段分のすべての棒状建材が支持されるよう構成されているが、個々の棒状建材が別々のサポート棒によって支持されるよう構成されてもよい。
【００４９】
上記の実施の形態は棒状建材を略水平に設置した構造を示したものであるが、本発明においては、棒状建材を上下方向や斜め方向に設置してもよい。また、棒状建材を保持するための架材は、柱間以外にも、梁間や、交叉した柱と梁との間に架け渡されてもよい。また、棒状建材の両端がそれぞれ異なる架材に保持されるようにしてもよい。
【００５０】
本発明では、柱スパンや梁スパン等よりも短尺の棒状建材だけでなく、これらよりも長尺の棒状建材を用いてもよい。
【００５１】
【発明の効果】
以上の通り、本発明の棒状建材の設置構造によると、柱同士の間に非耐力壁が設けられたカーテンウォールの前面に沿って中空セラミック棒状建材を取付配置することが可能となる。
【図面の簡単な説明】
【図１】実施の形態に係る棒状建材の設置構造の全体斜視図である。
【図２】図１の棒状建材の設置構造の分解斜視図である。
【図３】架材の長手方向の端部における棒状建材の支持構造を示す分解斜視図である。
【図４】架材の長手方向の途中部分における棒状建材の支持構造を示す分解斜視図である。
【図５】架材の係止溝への取付片の係合構造を示す分解斜視図である。
【符号の説明】
１  柱
２  カーテンウォール
４  架材
６  棒状建材
６Ａ，６Ｂ  貫通孔
８Ａ，８Ｂ  サポート棒
１０Ａ，１０Ｂ  ネジ
１２，１４，１６  取付片
１２ａ，１４ａ，１６ａ  ベース
１２ｂ，１４ｂ，１６ｂ  突片
１２ｃ，１２ｄ  サポート棒挿通孔
１４ｃ，１４ｄ，１６ｃ，１６ｄ  ネジ挿通孔
【図１】
2004324166.tif 000003
【図２】
2004324166.tif 000004
【図３】
2004324166.tif 000005
【図４】
2004324166.tif 000006
【図５】
2004324166.tif 000007